(57)【要約】    【課題】  空気調和装置の室内機を設置した後において、室内の天井や壁に新たな工事を施すことなく、電源を必要とするような電化設備機器を取り付けることができる空気調和装置の室内機を提供する。    【解決手段】  室内の天井または壁に取り付けられる空気調和装置１００の室内機１であって、空調部１０と、収納部２０と、電源部３０とを備えている。空調部１０は、室内の空気を調和させる。収納部２０は、電化設備機器２００の収納が可能である。電源部３０は、電化設備機器２００に対して電源の供給を行う。【選択図】        図６
2005037117.tif 000002
【特許請求の範囲】
【請求項１】
室内（ＳＩ）の天井または壁に取り付けられる空気調和装置の室内機（１）であって、
前記室内（ＳＩ）の空気を調和する空調部（１０）と、
電化設備機器（２００）を収納可能な収納部（２０）と、
前記電化設備機器（２００）に対して電源を供給するための電源部（１７、３０）と、
を備えた空気調和装置の室内機（１）。
【請求項２】
前記収納部（２０）は、前記室内（ＳＩ）側に開口（２１）を有する、
請求項１に記載の空気調和装置の室内機（１）。
【請求項３】
前記電源部（１７、３０）は、前記室内（ＳＩ）側からの操作が可能な位置に、前記電化設備機器（２００）と接続するための電源接続部（３１）を有する、
請求項１または２に記載の空気調和装置の室内機（１）。
【請求項４】
前記電源部（１７、３０）は、前記電源接続部（３１）を介して前記電化設備機器（２００）と通信可能に接続される電源通信部（３４）を有する、
請求項３に記載の空気調和装置の室内機（１）。
【請求項５】
前記電源通信部（３４）は、前記電化設備機器（２００）の管理を行う外部装置（３００）との間で、前記天井裏または壁裏（ＳＢ）に配備される有線（５）を介して通信を行う、
請求項４に記載の空気調和装置の室内機（１）。
【請求項６】
前記電源接続部（３１）は、前記電化設備機器（２００）と接続するための接点（３１ａ，３１ｂ、３１ｃ・・・）を複数有している、
請求項３から５のいずれかに記載の空気調和装置の室内機（１）。
【請求項７】
前記電源接続部（３１）は、複数の前記電化設備機器（２００）と接続するための複数の接点（３１ａ，３１ｂ、３１ｃ・・・）を有する電源接続部材（３３）を脱着可能な電源接続部材取付部（３２）を有している、
請求項３から５のいずれかに記載の空気調和装置の室内機（１）。
【請求項８】
前記電源部（１７）は、前記空調部（１０）を稼働させるための電源供給が可能である、
請求項１に記載の空気調和装置の室内機（１）。
【請求項９】
前記収納部（２０）に、前記電化設備機器（２００）が収納された場合に、前記電化設備機器（２００）を通信によって管理する外部装置（３００）と前記電化設備機器（２００）とが通信可能に接続されている、
請求項１から８のいずれかに記載の空気調和装置の室内機（１）。
【請求項１０】
前記電化設備機器（２００）を通信によって管理する前記外部装置（３００）と前記電化設備機器（２００）とを通信可能に接続する通信部（４０）をさらに備えた、
請求項９に記載の空気調和装置の室内機（１）。
【請求項１１】
前記通信部（４０）は、前記収納部（２０）内部に着脱自在に収納可能である、
請求項１０に記載の空気調和装置の室内機（１）。
【請求項１２】
前記通信部（４０）は、前記室内（ＳＩ）側からの操作が可能な位置に、前記電化設備機器（２００）と接続するための通信接続部（４１）を有する、
請求項１０または１１に記載の空気調和装置の室内機（１）。
【請求項１３】
前記通信接続部（４１）は、前記電化設備機器（２００）と接続するための接点（４１ａ，４１ｂ、４１ｃ・・・）を複数有している、
請求項１２に記載の空気調和装置の室内機（１）。
【請求項１４】
前記通信接続部（４１）は、複数の前記電化設備機器（２００）と接続するための複数の接点（４１ａ，４１ｂ、４１ｃ・・・）を有する通信接続部材（４３）を脱着可能な通信接続部材取付部（４２）を有している、
請求項１２に記載の空気調和装置の室内機（１）。
【請求項１５】
前記通信部（４０）は、前記天井裏または壁裏（ＳＢ）に配備される有線（５）を介して前記外部装置（３００）との間で通信を行う、
請求項１０から１４のいずれかに記載の空気調和装置の室内機（１）。
【請求項１６】
前記電化設備機器（２００）の管理を行う外部装置（３００）から延びて、前記天井裏または壁裏（ＳＢ）に配備される有線（５）に直接接続するための接続部（４４）をさらに備えている、
請求項９に記載の空気調和装置の室内機（１）。
【請求項１７】
前記収納部（２０）は、前記空調部（１０）よりも耐久性の低い前記電化設備機器（２００）を収納する、
請求項１から１６のいずれかに記載の空気調和装置の室内機（１）。
【請求項１８】
前記収納部（２０）は、前記空調部（１０）とは別の、空気調和装置能を備える前記電化設備機器（２００）を収納する、
請求項１から１７のいずれかに記載の空気調和装置の室内機（１）。
【請求項１９】
室内（ＳＩ）の天井または壁に取り付けられる空気調和装置の室内機（１）であって、
前記室内（ＳＩ）の空気を調和する空調部（１０）と、
少なくとも電化設備機器（２００）を収納可能な収納部（２０）と、
前記収納部（２０）に収納される前記電化設備機器（２００）に内蔵される電源部または前記収納部（２０）に収納される前記電化設備機器に電源を供給するための電源部（３０）に対して電気的に接続するための接続部（６０）と、
を備えた空気調和装置の室内機（１）。
【発明の詳細な説明】
【技術分野】
【０００１】
本発明は、空気調和装置の室内機、特に、室内の天井または壁に取り付けられる空気調和装置の室内機に関する。
【背景技術】
【０００２】
一般に、室内機と室外機とに分けられたセパレート式の空気調和装置には、１台の室外機に対して１台だけ室内機を接続するペア型の空気調和装置と、１台の室外機に対して並列に複数の室内機を接続するマルチ型の空気調和装置が存在する。このようなセパレート式の空気調和装置は、通常、室内機については建物の天井裏や壁裏等に設置され、室外機については建物の外や屋上等に設置される。
【０００３】
このうちマルチ型の空気調和装置の室内機については、天井に埋没するようにして高所に設置されるのが通常であり、このようにして天井に設置された空気調和装置の室内機についてメンテナンス作業等をする場合には、脚立等を用意して天井に取り付けられ室内空気の吸込口となる吸引グリル板を取り外す等の高所での不安定な作業が必要となる。
しかし、最近では、以下の特許文献１に示されるように、このような脚立を用いた高所での作業時においても室内機の動作確認、エアフィルタの清掃・交換や電装部品の点検作業等のメンテナンス作業を容易にするという観点から、空気調和装置の室内機の構造について工夫したものが提案されている。
【特許文献１】特開２００３−１２０９５３号公報  （第２−４頁、第１図）
【発明の開示】
【発明が解決しようとする課題】
【０００４】
上述のようにして工夫された空気調和装置の室内機においては、天井に埋没するようにして設置された後においても、その室内機についてのメンテナンス作業を容易に行うことができるようになる。
一方、空気調和装置の室内機は、吹き出される調和空気が室内において効果的に対流するように、室内のうち比較的見晴らしの良い場所に設置されることが多い。また、このような見晴らしの良い場所は、他の電化設備機器の設置場所としても絶好の設置ポイントとなることが多く、実際に他の電化設備機器を設置したい場合がある。例えば、監視カメラ等は、室内の天井付近等の見晴らしの良い場所に設置されると効果的に撮影することができるという性質のものである。ところが、従来における上述のような観点から工夫された構造を有する室内機であってもメンテナンス等の面で容易とはなるものの、天井や壁の工事を行って天井裏等に空気調和装置の室内機を設置した後において別途新たに監視カメラ等の電化設備機器を設置する必要が生じた場合に、その新たな電化設備機器のためのスペースを確保することは困難となってしまう。そして、このような場合には、空気調和装置の室内機の取り付け工事とは別個に、新たに電化設備機器の取り付け工事を行わなければならなくなる等煩雑な作業を強いられてしまう場合がある。また、新たに設置する電化設備機器のためのスペースを確保している場合であっても、設置される電化設備機器に対して必要な電源を供給する場合には、外部の電源装置から新たに電源の供給を受けることが必要となる等で煩雑である。
【０００５】
本発明は、上記事情に鑑みてなされたものであり、本発明の課題は、空気調和装置の室内機を設置した後において、室内の天井や壁に新たな工事を施すことなく、電源を必要とするような電化設備機器を取り付けることができる空気調和装置の室内機を提供することにある。
【課題を解決するための手段】
【０００６】
第１発明の空気調和装置の室内機は、室内の天井または壁に取り付けられる空気調和装置の室内機であって、空調部と、収納部と、電源部とを備えている。空調部は、室内の空気を調和させる。収納部は、電化設備機器の収納が可能である。ここでの電化設備機器とは、電源の供給によって駆動することができる設備機器であり、例えば、テレビカメラや、無線ＬＡＮアクセスポイント等が含まれる。電源部は、電化設備機器に対して電源の供給を行う。なお、この電源部は、空調部とは独立に配備されていてもよいし、空調部の中に盛り込まれるようにして配備されていてもよい。
【０００７】
空気調和装置の室内機は、吹き出される調和空気が室内において効果的に対流するように、室内のうち比較的見晴らしの良い場所に設置されることが多い。また、このような見晴らしの良い場所は、他の電化設備機器の設置場所としても絶好の設置ポイントとなることが多く、実際に他の電化設備機器を設置したい場合がある。ところが、従来は、このような見晴らしの良い場所（天井等）に新たに電化設備機器を設置使用とする場合には、室内の天井や壁の工事が必要となることが多い。また、このような工事を施した場合であっても、天井付近に設置される電化設備機器に対して必要な電源を供給するために、電源接続ケーブルの設置が新たに必要となる等で煩雑である。
【０００８】
しかし、第１発明の空気調和装置の室内機は、電化設備機器を収納するための収納部と、電化設備機器に対して電源を供給するための電源部とが設けられている。このため、新たに電化設備機器を設置したい場合には、収納部に収納させることができるようになる。また、新たに設置した電化設備機器に対して電源を供給する場合においても、新たに設置する電化設備機器のためだけに設置場所まで電気コード等によって電源を引いてくるようなことが不要となり、空気調和装置の室内機に備わる電源部から電源の供給を受けることができるようになる。したがって、空気調和装置の室内機を設置した後において電源を必要とするような電化設備機器を取り付ける場合に、室内の天井や壁に新たな工事を施すことなく設置することが可能となる。
【０００９】
第２発明の空気調和装置の室内機は、第１発明の空気調和装置の室内機であって、収納部は、室内側に開口を有している。なお、この開口は、室内側に向けて常に開いている必要はなく、新たに電化設備機器を設置しようとする際に開閉することができるような開閉自在な開口であってもよい。
ここでは、空気調和装置の室内機の収納部が、室内側に開口を有しているので、新たに電化設備機器を設置する場合には、この室内側の開口から電化設備機器を収納部に入れることができるようになる。このため、天井裏や壁裏に回り込むことなく、電化設備機器を室内側から容易に収納部に取り付けることができるようになる。
【００１０】
第３発明の空気調和装置の室内機は、第１または第２発明の空気調和装置の室内機であって、電源部は、室内側からの操作が可能な位置に、電化設備機器と接続するための電源接続部を有している。ここでの室内側からの操作が可能な位置とは、例えば、電源接続部を室内側から人間が操作等する際に手が届く範囲（例えば、２メートル以内）や、工作器具を使って電源接続部を室内側から操作等することができる範囲等をいう。
【００１１】
ここでは、室内機の電源部が電化設備機器を接続するための電源接続部を有しているため、天井裏や壁裏等に回り込む等しなくても、電化設備機器に対して電源を供給するための電源接続作業を、室内側から容易に行うことができるようになる。
【００１２】
第４発明の空気調和装置の室内機は、第３発明の空気調和装置の室内機であって、電源部は、電源接続部を介して電化設備機器と通信可能に接続される電源通信部を有している。ここでの電源通信部としては、電化設備機器に対する電源の供給と、電化設備機器との間の通信の確立との両方を行うことができるようなＵＳＢポート・電灯線装置等のことをいう。
ここでは、電源部は、電源接続部を介して電化設備機器と通信可能に接続される電源通信部を有しており、電源接続部から電化設備機器に対して電源を供給することができ、電化設備機器と電源通信部との間で電源接続部を介した通信を確立させることが可能となる。このため、電源についての接続部と通信についての接続部との両方をそれぞれ別個に設けることなく、１つの電源接続部を用いることにより、電化設備機器に対する電力の供給と電化設備機器との間の通信の確立との両方を行うことが可能となる。
【００１３】
第５発明の空気調和装置の室内機は、第４発明の空気調和装置の室内機であって、電源通信部は、外部装置との間で、天井裏または壁裏に配備される有線を介して通信を行う。ここでの外部装置とは、室内機の外部に設けられ、電化設備機器についてＯＮ・ＯＦＦの制御や運転状態の変更等の管理を行うものだけでなく、監視用のカメラなどの電化設備機器に接続してカメラの画像を表示するモニタ、および無線ＬＡＮアクセスポイント時のネットワーク機器（たとえば、ゲートウェイ）なども含む広い概念である。
【００１４】
空気調和装置の室内機が設置されている建物においては、室内の天井裏や壁裏において有線が配備されている場合がある。ここでは、このように室内の天井裏や壁裏においてすでに張り巡らされているような有線を利用することで、電源通信部は、電化設備機器と外部装置との間で通信を行わせることができるようになる。これにより、外部装置が、新たに設置される電化設備機器について、有線を介した通信によって管理を行うことが可能となる。
【００１５】
なお、例えば、空気調和装置の室内機に接続され天井裏または壁裏に配備される有線と繋がっている室外機が外部装置との間で無線通信可能な場合においては、電化設備機器と外部装置とが直接有線を介して接続されていない場合であっても、外部装置は無線通信によって電化設備機器を管理することができるようになる。また、天井裏または壁裏に配備された有線によって接続されているＬＡＮ型ダイアルアップ接続機能付きの設備管理装置が、ビル等の建物内において設けられている場合があるが、このＬＡＮ型ダイアルアップ接続機能付きの設備管理装置が外部装置との間で無線通信可能な場合においても、外部装置は無線通信によって電化設備機器を管理することができるようになる。
【００１６】
第６発明の空気調和装置の室内機は、第３から第５発明のいずれかの空気調和装置の室内機であって、電源接続部は、電化設備機器と接続するための接点を複数有している。
ここでは、電源接続部が、電化設備機器と接続するための接点を複数有しているため、一度に複数の電化設備機器とそれぞれ接続することができる。このため、収納部に収納される電化設備機器が複数となるような場合であっても、それぞれに対して電源接続部と接続することが可能なため、同時に複数の電化設備機器を通信可能に設置することができるようになる。
【００１７】
第７発明の空気調和装置の室内機は、第３から第５発明のいずれかの空気調和装置の室内機であって、電源接続部は、電源接続部材取付部を有している。この電源接続部材取付部は、複数の電化設備機器と接続するための複数の接点を有する電源接続部材を自在に脱着することができる。
ここでは、電源接続部は、複数の電化設備機器と接続する必要が無い場合には電源接続部材を取り付けないことでコストを削減することが可能となり、また、複数の電化設備機器と接続する必要がある場合には電源接続部材を取り付けることにより同時に複数の電化設備機器に対して電源の供給が可能となるように設置することが可能となる。このように、ここでは電源接続部材の取り付けが選択自在に行うことができ、必要に応じて電化設備機器の接続を行うことが可能となる。
【００１８】
第８発明の空気調和装置の室内機は、第１発明の空気調和装置の室内機であって、電源部は、空調部を稼働させるための電源供給が可能である。
ここでは、電化設備機器に対して電源を供給するための電源部を、空調部を稼働させるための電源供給のための電源部と兼用でき、新たに電源部を設ける必要がなくなる。
【００１９】
第９発明の空気調和装置の室内機は、第１から第８発明のいずれかの空気調和装置の室内機であって、収納部に、電化設備機器が収納された場合に、電化設備機器を通信によって管理する外部装置と電化設備機器とが通信可能に接続されている。
ここでは、収納部に電化設備機器が収納された場合に、電化設備機器と外部装置とが通信可能に接続されているため、新たに設置される電化設備機器であっても、通信によって外部装置から管理することが可能となる。
なお、ここでの外部装置とは、室内機の外部に設けられ、電化設備機器についてＯＮ・ＯＦＦの制御や運転状態の変更等の管理を行うものだけでなく、監視用のカメラなどの電化設備機器に接続してカメラの画像を表示するモニタ、および無線ＬＡＮアクセスポイント時のネットワーク機器（たとえば、ゲートウェイ）なども含む広い概念である。
【００２０】
第１０発明の空気調和装置の室内機は、第９発明の空気調和装置の室内機であって、通信部をさらに備えている。この通信部は、外部装置と、電化設備機器とを通信可能となるように接続する。
ここでは、室内機が、電化設備機器と外部装置との通信が可能となるように接続するための通信部を備えている。したがって、新たに設置される電化設備機器であっても、通信部を経由した通信によって外部装置から管理することが可能となる。また、通信部を備えることによって、電化設備機器と外部装置との間が有線ＬＡＮによって接続されている場合だけでなく、無線ＬＡＮ接続などの種々の接続が可能になる。
【００２１】
第１１発明の空気調和装置の室内機は、第１０発明の空気調和装置の室内機であって、通信部は、収納部内部に着脱自在に収納可能である。
ここでは、通信部が収納部内部に着脱自在に収納可能であるので、通信部を取り付ける必要がある室内機だけ選択して通信部を取り付けることができ、その結果、コストを削減することが可能になる。
【００２２】
第１２発明の空気調和装置の室内機は、第１０または第１１発明の請空気調和装置の室内機であって、通信部は、室内側からの操作が可能な位置に、電化設備機器と接続するための通信接続部を有している。ここでの室内側からの操作が可能な位置とは、例えば、電源接続部を室内側から人間が操作等する際に手が届く範囲（例えば、２メートル以内）や、工作器具を使って電源接続部を室内側から操作等することができる範囲等をいう。
【００２３】
ここでは、室内機の通信部は、室内側からの操作が可能な位置に通信接続部を有している。このため、室内側からの操作によって、電化設備機器と外部装置とを通信可能に接続することができるようになる。したがって、天井裏に回り込む等しなくても、電化設備機器に対する通信確立のための電源接続作業を室内側から容易に行うことができるようになる。
【００２４】
第１３発明の空気調和装置の室内機は、第１２発明の空気調和装置の室内機であって、通信接続部は、電化設備機器と接続するための接点を複数有している。
ここでは、通信接続部が、電化設備機器と接続するための接点を複数有しているため、一度に複数の電化設備機器とそれぞれ接続することができる。このため、収納部に収納される電化設備機器が複数となるような場合であっても、それぞれに対して通信接続部と接続することが可能なため、同時に複数の電化設備機器を通信可能に設置することができるようになる。
【００２５】
第１４発明の空気調和装置の室内機は、第１２発明の空気調和装置の室内機であって、通信接続部は、通信接続部材取付部を有している。この通信接続部材取付部は、複数の電化設備機器と接続するための複数の接点を有する通信接続部材を自在に脱着することができる。
ここでは、通信接続部は、複数の電化設備機器と接続する必要が無い場合には通信接続部材を取り付けないことでコストを削減することが可能となり、また、複数の電化設備機器と接続する必要がある場合には通信接続部材を取り付けることにより同時に複数の電化設備機器を通信可能に設置することができるようになる。このように、ここでは通信接続部材の取り付けが選択自在に行うことができ、必要に応じて電化設備機器の接続を行うことが可能となる。
【００２６】
第１５発明の空気調和装置の室内機は、第１０発明から第１４発明のいずれかの空気調和装置の室内機であって、通信部は、天井裏または壁裏に配備される有線を介して外部装置との間で通信を行う。
空気調和装置の室内機が設置されている建物においては、室内の天井裏や壁裏において有線が配備されている場合がある。ここでは、このように室内の天井裏や壁裏においてすでに張り巡らされているような有線を利用することで、通信部は、電化設備機器と外部装置との間で通信を行わせることができるようになる。これにより、新たに設置される電化設備機器について、有線を介した通信によって外部装置による管理を行うことが可能となる。
【００２７】
なお、例えば、空気調和装置の室内機に接続され天井裏または壁裏に配備される有線と繋がっている室外機が外部装置との間で無線通信可能な場合においては、電化設備機器と外部装置とが直接有線を介して接続されていない場合であっても、外部装置は無線通信によって電化設備機器を管理することができるようになる。また、天井裏または壁裏に配備された有線によって接続されているＬＡＮ型ダイアルアップ接続機能付きの設備管理装置が、ビル等の建物内において設けられている場合があるが、このＬＡＮ型ダイアルアップ接続機能付きの設備管理装置が外部装置との間で無線通信可能な場合においても、外部装置は無線通信によって電化設備機器を管理することができるようになる。
【００２８】
第１６発明の空気調和装置の室内機は、電化設備機器の管理を行う外部装置から延びて、天井裏または壁裏に配備される有線に直接接続するための接続部をさらに備えている。
ここでは、接続部を用いることによって、電化設備機器を通信部を介さずに天井裏または壁裏に配備される有線に直接接続することができる。したがって、通信部が不要になることによりコストを削減することができる。
【００２９】
第１７発明の空気調和装置の室内機は、請求項１から１６のいずれかに記載の空気調和装置の室内機であって、収納部は、空調部よりも耐久性の低い電化設備機器を収納する。ここで、耐久性が低いとは、例えば、空調部と比較して保証寿命期間が短いこと等を意味する。したがって、ここでの電化設備機器は、例えば空調部の保証寿命期間が１０年の場合においては、保証寿命期間が１０年よりも短い（例えば、保証寿命期間が５月程度）電化設備機器を意味する。
【００３０】
空調部の寿命が尽きてその交換を行う際には、天井や壁の空調部を取り付ける部分を施工する工事を行うことが必要となる。このため、空調部の寿命と電化設備機器の寿命とが同程度である場合には、空調部の取替え施工時において一緒に電化設備機器についても取り替えることができて簡便である。しかし、収納部に収容される電化設備機器が空調部の寿命よりも短いものである場合には、その電化設備機器の交換作業は空調部と比較してより頻繁に行われることになる。
【００３１】
ここでは、保証寿命期間が短い等のような電化設備機器が収容される場合においても、空気調和装置の室内機に収納部があるため、電化設備機器の取り替え時における毎度の工事が不要となる。このため、比較的頻繁に交換が必要となるような電化設備機器が収容される場合において、電化設備機器の交換作業負担をより低減させることが可能となる。
第１８発明の空気調和装置の室内機は、請求項１から１７のいずれかに記載の空気調和装置の室内機であって、収納部は、空調部とは別の、空気調和装置能を備える電化設備機器を収納する。ここで、電化設備機器の備える空気調和装置能は、空調部の空気調和装置能と同じ機能であってもよく、また異なる機能の場合であってもよい。空気調和装置能としては、暖房・冷房・除湿・加湿・空気清浄（脱臭・除菌等を含む）の機能等がある。
【００３２】
空気調和装置の室内機を設置する時点においては、空調部に備わる機能や出力等だけで十分と考えられていたが、後々においてさらに空気調和装置能を追加したい場合や出力をさらに強化したい場合等がある。ここでは、このように空気調和装置の室内機を設置した後においても、収納部において、空気調和装置能を備える電化設備機器を収納することができる。このため、室内の天井や壁に新たな工事を施さなくても、さらに空気調和装置能を追加したり出力をさらに強化したりすることができるようになる。
【００３３】
第１９発明の空気調和装置の室内機は、室内の天井または壁に取り付けられる空気調和装置の室内機であって、空調部と、収納部と、接続部とを備えている。空調部は、室内の空気を調和させる。収納部は、少なくとも電化設備機器が収納可能である。接続部は、収納部に収納される電化設備機器に内蔵される電源部または収納部に収納される電化設備機器に電源を供給するための電源部に対して電気的に接続する。
【００３４】
ここでは、新たに電化設備機器を設置したい場合には、少なくとも電化設備機器を収納部に収納させることができる。そして、新たに設置した電化設備機器に対して電源を供給する場合には、電化設備機器に内蔵された電源部または電化設備機器とは独立して存在する電源部のいずれかを、接続部に電気的に接続することにより、接続部を介して外部電源または空調部の電源部から電源を供給することができる。したがって、新たに設置する電化設備機器のためだけに設置場所まで電気コード等によって電源を引いてくるようなことが不要になる。したがって、空気調和装置の室内機を設置した後において電源を必要とするような電化設備機器を取り付ける場合に、室内の天井や壁に新たな工事を施すことなく設置することが可能となる。しかも、電化設備機器の消費電力などの仕様に適合した電源部を選択して収納部に着脱自在に収納することができる。
【発明の効果】
【００３５】
第１発明の空気調和装置の室内機では、新たに電化設備機器を設置したい場合には、収納部に収納させることができるようになる。また、新たに設置した電化設備機器に対して電源を供給する場合においても、新たに設置する電化設備機器のためだけに設置場所まで電気コード等によって電源を引いてくるようなことが不要となり、空気調和装置の室内機に備わる電源部から電源の供給を受けることができるようになる。したがって、空気調和装置の室内機を設置した後において電源を必要とするような電化設備機器を取り付ける場合に、室内の天井や壁に新たな工事を施すことなく設置することが可能となる。
【００３６】
第２発明の空気調和装置の室内機では、空気調和装置の室内機の収納部が、室内側に開口を有しているので、新たに電化設備機器を設置する場合には、この室内側の開口から電化設備機器を収納部に入れることができるようになる。このため、天井裏や壁裏に回り込むことなく、電化設備機器を室内側から容易に収納部に取り付けることができるようになる。
【００３７】
第３発明の空気調和装置の室内機では、室内機の電源部が電化設備機器を接続するための電源接続部を有しているため、天井裏や壁裏等に回り込む等しなくても、電化設備機器に対して電源を供給するための電源接続作業を、室内側から容易に行うことができるようになる。
第４発明の空気調和装置の室内機では、電源部は、電源接続部を介して電化設備機器と通信可能に接続される電源通信部を有しており、電源接続部から電化設備機器に対して電源を供給することができ、電化設備機器と電源通信部との間で電源接続部を介した通信を確立させることが可能となる。このため、電源についての接続部と通信についての接続部との両方をそれぞれ別個に設けることなく、１つの電源接続部を用いることにより、電化設備機器に対する電力の供給と電化設備機器との間の通信の確立との両方を行うことが可能となる。
【００３８】
第５発明の空気調和装置の室内機では、室内の天井裏や壁裏においてすでに張り巡らされているような有線を利用することで、電源通信部は、電化設備機器と外部装置との間で通信を行わせることができるようになる。これにより、外部装置が、新たに設置される電化設備機器について、有線を介した通信によって管理を行うことが可能となる。
第６発明の空気調和装置の室内機では、収納部に収納される電化設備機器が複数となるような場合であっても、それぞれに対して電源接続部と接続することが可能なため、同時に複数の電化設備機器を通信可能に設置することができるようになる。
【００３９】
第７発明の空気調和装置の室内機では、電源接続部は、複数の電化設備機器と接続する必要が無い場合には電源接続部材を取り付けないことでコストを削減することが可能となり、また、複数の電化設備機器と接続する必要がある場合には電源接続部材を取り付けることにより同時に複数の電化設備機器に対して電源の供給が可能となるように設置することが可能となる。このように、ここでは電源接続部材の取り付けが選択自在に行うことができ、必要に応じて電化設備機器の接続を行うことが可能となる。
【００４０】
第８発明の空気調和装置の室内機では、電化設備機器に対して電源を供給するための電源部を、空調部を稼働させるための電源供給のための電源部と兼用でき、新たに電源部を設ける必要がなくなる。
第９発明の空気調和装置の室内機では、新たに設置される電化設備機器であっても、通信によって外部装置から管理することが可能となる。
【００４１】
第１０発明の空気調和装置の室内機では、新たに設置される電化設備機器であっても、通信部を経由した通信によって外部装置から管理することが可能となる。また、通信部を備えることによって、電化設備機器と外部装置との間が有線ＬＡＮによって接続されている場合だけでなく、無線ＬＡＮ接続などの種々の接続が可能になる。
第１１発明の空気調和装置の室内機では、通信部が収納部内部に着脱自在に収納可能であるので、通信部を取り付ける必要がある室内機だけ選択して通信部を取り付けることができ、その結果、コストを削減することが可能になる。
【００４２】
第１２発明の空気調和装置の室内機では、室内側からの操作が可能な位置に通信接続部をさらに備えている。このため、室内側からの操作によって、電化設備機器と外部装置とを通信可能に接続することができるようになる。したがって、天井裏に回り込む等しなくても、電化設備機器に対する通信確立のための電源接続作業を室内側から容易に行うことができるようになる。
【００４３】
第１３発明の空気調和装置の室内機では、通信接続部が、電化設備機器と接続するための接点を複数有しているため、一度に複数の電化設備機器とそれぞれ接続することができる。このため、収納部に収納される電化設備機器が複数となるような場合であっても、それぞれに対して通信接続部と接続することが可能なため、同時に複数の電化設備機器を通信可能に設置することができるようになる。
【００４４】
第１４発明の空気調和装置の室内機では、通信接続部は、複数の電化設備機器と接続する必要が無い場合には通信接続部材を取り付けないことでコストを削減することが可能となり、また、複数の電化設備機器と接続する必要がある場合には通信接続部材を取り付けることにより同時に複数の電化設備機器を通信可能に設置することができるようになる。このように、ここでは通信接続部材の取り付けが選択自在に行うことができ、必要に応じて電化設備機器の接続を行うことが可能となる。
【００４５】
第１５発明の空気調和装置の室内機では、室内の天井裏や壁裏においてすでに張り巡らされているような有線を介することで、通信部は、電化設備機器と外部装置との間で通信を行わせることができるようになる。これにより、新たに設置される電化設備機器について、有線を介した通信によって外部装置による管理を行うことが可能となる。
第１６発明の空気調和装置の室内機では、電化設備機器を通信部を介さずに、電化設備機器の管理を行う外部装置から延びて天井裏または壁裏に配備される有線に直接接続することができるため、通信部が不要になり、コストを削減することができる。
【００４６】
第１７発明の空気調和装置の室内機では、保証寿命期間が短い等のような電化設備機器が収容される場合においても、空気調和装置の室内機に収納部があるため、電化設備機器の取替え時における毎度の工事が不要となる。このため、比較的頻繁に交換が必要となるような電化設備機器が収容される場合において、電化設備機器の交換作業負担をより低減させることが可能となる。
【００４７】
第１８発明の空気調和装置の室内機では、空気調和装置の室内機を設置した後においても、収納部において、空気調和装置能を備える電化設備機器を収納することができる。このため、室内の天井や壁に新たな工事を施さなくても、さらに空気調和装置能を追加したり出力をさらに強化したりすることができるようになる。
第１９発明の空気調和装置の室内機では、新たに設置する電化設備機器のためだけに設置場所まで電気コード等によって電源を引いてくるようなことが不要になる。したがって、空気調和装置の室内機を設置した後において電源を必要とするような電化設備機器を取り付ける場合に、室内の天井や壁に新たな工事を施すことなく設置することが可能となる。しかも、電化設備機器の消費電力などの仕様に適合した電源部を選択して収納部に着脱自在に収納することができる。
【発明を実施するための最良の形態】
【００４８】
［第１実施形態］
本発明の第１実施形態に係る空気調和装置の外観図を図１に、空気調和装置の側面図を図２に、それぞれ示す。
ここでの空気調和装置１００は、１台の室外ユニット８に対して並列に複数の室内ユニット１を接続するマルチ型の空気調和装置である。そして、室内ユニット１については室内の天井裏空間ＳＢに設置され（図２参照）、室外ユニット８については建物の外や屋上等に設置されている。
【００４９】
このうち空気調和装置１００の室内ユニット１については、建物の各部屋に１台ずつもしくは１つの部屋に複数台の室内ユニット１が、室内の天井に埋没するようにして設置されている（図２参照）。
＜空気調和装置の基本的な空調構成＞
以下、図１、図２および空気調和装置１００の制御ブロック図を示す図３を参照しながら、本発明の一実施形態が採用されている空気調和装置１００の空調についての構成を、簡単に説明する。
【００５０】
図１〜図３においては、マルチ型の空気調和装置の例として、室外ユニット８に対して４台の室内ユニット１が接続される空気調和装置１００を示している。なお、室外ユニット８および室内ユニット１の数はこれに限られるものではない。
各室内ユニット１は、冷媒配管４を介して室外ユニット８と接続されている。また、各室内ユニット１は、有線ＬＡＮ５を介して室外ユニット８と通信可能に接続されている。この有線ＬＡＮ５は、空気調和装置１００が配備されている建物の天井裏等に張り巡らされるようにして設けられている。各室内ユニット１は、それぞれ設置されている室内空間ＳＩの冷房・暖房や加湿等を行う。
コントローラ９は、図２に示すように、室内空間ＳＩの側壁などに配置され、有線ＬＡＮ５を介して各室内ユニット１と接続されている。また、コントローラ９は、室内ユニット１について、冷房運転または暖房運転の別や温度、湿度、風量などの室内の空調運転の設定を行う。
【００５１】
［室外ユニットの空調についての構成］
室外ユニット８は、図３に示すように、室外熱交換器８１、圧縮機８２、四路切換弁８３、アキュムレータ８４、室外制御部８７等を備えている。
【００５２】
室外熱交換器８１、圧縮機８２、四路切換弁８３およびアキュムレータ８４は、各室内ユニット１との間で冷媒回路を構成しており、四路切換弁８３は、冷房時と暖房時とで冷媒の流れを切り換える。
室外制御部８７は、マイクロプロセッサ、ＲＯＭ、ＲＡＭ、各種インターフェイスなどにより構成されている。また、室外制御部８７には、圧縮機８２、四路切換弁８３なども接続されており、運転中の各種条件に応じて圧縮機８２の運転周波数を制御することによって、空調運転の制御を行う。
【００５３】
［室内ユニットの空調についての構成］
室内ユニット１は、室内ユニットの外観図である図４において示すように、空気調和を行うための各機器を備える空調部１０を有している。そして、この室内ユニット１の空調部１０は、図３に示すように、室内熱交換器１１、電動弁１２、室内ファンモータ１４、室内制御部１６、有線ＬＡＮ５等を備えている。
【００５４】
室内熱交換器１１と電動弁１２とは、直列に接続されており、室外ユニット８との間で冷媒回路を構成している。室内熱交換器１１は通過する空気との間で熱交換を行い、室内空間ＳＩへ送り出される空気の温度調整を行う。電動弁１２は、室内熱交換器１１に流れる冷媒量を調整する。
室内ファンモータ１４は、室内ファン（図示せず）と接続されており、この室内ファンを回転駆動させる。室内ファンは、室内ユニット１の空調部１０が配置されている室内空間ＳＩの空気を室内ユニット１の空調部１０の内部に取り込み、室内熱交換器１１により熱交換が行われた空気を室内空間ＳＩへと送りだす。
【００５５】
有線ＬＡＮ５は、図２および図３に示すように、コントローラ９と室内制御部１６とを接続しており、コントローラ９に入力された空調運転の設定に関する信号を室内制御部１６へと伝送する。この空調運転の設定は、例えば、冷房運転を行う指令、暖房運転を行う指令、設定温度、風量、風向の変更等である。
室内制御部１６は、マイクロプロセッサ、ＲＯＭ、ＲＡＭ、各種インターフェイスなどにより構成されている。室内制御部１６は、有線ＬＡＮ５を介してコントローラ９と接続されており、コントローラ９から空調運転の設定に関する信号を受ける。また、室内制御部１６は、電動弁１２や室内ファンモータ１４に制御信号を送信して室内空間ＳＩの温度調整を行う。
【００５６】
室外制御部８７と室内制御部１６とは、天井裏空間ＳＢにおいて張り巡らされている有線ＬＡＮ５を介して互いに接続されている。そして、室内制御部１６と接続されている各部に対して制御信号等の各種信号を送受信することができるようになっている。
また、室外制御部８７と室内制御部１６とは、室内空間ＳＩの温度調整のために各動作を行う。例えば、室外制御部８７が圧縮機８２の運転を停止させて、室内制御部１６が室内ファンモータ１４の出力を最低レベルに落として、室内ファンの運転を必要最小限とするサーモオフ動作を行う。また、室外制御部８７が圧縮機８２を再起動させ、室内制御部１６が室内ファンモータ１４の出力制御を通常の制御に戻すというサーモオン動作を行う。
【００５７】
＜室内ユニットの構造等に関する構成＞
上記空気調和装置１００の室内ユニット１は、図４の室内ユニット１の外観図および図５の側面図において示すように、主として、空調部１０と、収納部２０と、電源部３０と、通信部４０と、パネル部５０とから構成されている。
【００５８】
［空調部の構成］
空調部１０は、上述したように、室内熱交換器１１、電動弁１２、室内ファンモータ１４、室内制御部１６等を備えている。空調部１０は、コントローラ９から有線ＬＡＮ５を介して指令を受けることにより若しくは有線ＬＡＮ５を介して遠隔から指令を受けることにより、これらの構成要素に基づいて室内空間ＳＩの空気の調和を行う。空調部１０は、図４および図５に示すように、天井裏空間ＳＢにおいて後述するパネル部５０に接するようにして配備されている。
また、空調部１０の室内制御部１６は、図６に示すように、天井裏空間ＳＢに張り巡らされている有線ＬＡＮ５を介して空気調和装置１００の室外ユニット８や外部装置３００と通信可能に接続されている。
外部装置３００は、室内ユニット１の外部に設けられ、電化設備機器２００についてＯＮ・ＯＦＦの制御や運転状態の変更等の管理を行う装置などからなる。また、本発明のいう外部装置３００には、監視用のカメラなどの電化設備機器に接続してカメラの画像を表示するモニタ、または無線ＬＡＮアクセスポイント時のネットワーク機器などの装置も含まれる。
【００５９】
［収納部の構成］
収納部２０は、カメラ等の電化設備機器２００を収納するために内部が空洞となっているものであり、図４および図５に示すように、天井裏空間ＳＢにおいて電源部３０と通信部４０とを介して空調部１０の隣に配備されている。この収納部２０は、開口２１と、収納蓋２２とから構成されている。開口２１は、収納部２０に設けられている開口であり、室内空間ＳＩ側に向けて設けられている。そして、カメラ等の電化設備機器２００を、この室内空間ＳＩ側に設けられている開口２１を通じて室内側から収納部２０の内部に設置したり取り外したりすることができる。収納蓋２２は、開口２１を閉じるための蓋であり、電化設備機器２００を取り付けたり取り外したりする際に取り外すことができるものである。
【００６０】
［電源部の構成］
電源部３０は、図４および図５に示すように、天井裏空間ＳＢにおいて、空調部１０の隣に配備されている。この電源部３０は、図６に示すように、外部電源４００と接続されており、この外部電源４００から電源の供給を受けている。この外部電源４００は、電源部３０だけでなく空調部１０に対しても電源の供給を行っているものである。電源部３０には、前述した収納部２０に収納されるカメラ等の電化設備機器２００に対してＡＣ電源の供給をするための接点となる電源接続部３１が、室内空間ＳＩ側の開口２１付近に設けられている。この電源接続部３１には、電気コンセント取付部３２が設けられており、複数の接続口３１ａ、３１ｂ、３１ｃ、３１ｄ・・を有する電気コンセント３３を取り付けることができる。この電気コンセント３３は、取り外し可能な複数の電化設備機器２００に対して同時に電源を供給することができる。収納部２０に収納された電化設備機器２００は、電気コンセント３３を介して電源接続部３１と接続されることにより電源の供給を受けて駆動することができる。また、収納部２０に収納される電化設備機器２００が複数存在する場合であっても、電源接続部３１に複数の接続口３１ａ、３１ｂ、３１ｃ、３１ｄ・・を有する電気コンセント３３を取り付けることにより、同時に複数の電化設備機器２００に対して電源の供給を行うことができる。
【００６１】
［通信部の構成］
通信部４０は、図４および図５に示すように、天井裏空間ＳＢにおいて、空調部１０の隣に配備されている。この通信部４０は、天井裏空間ＳＢに張り巡らされている有線ＬＡＮ５を介して外部装置３００や室外ユニット８と通信できるように接続されている。また、通信部４０は、通信接続部４１を有している。通信部４０は、この通信接続部４１によって、前述した収納部２０に収納されるカメラ等の電化設備機器２００との間で通信を確立させることができるようになっている。通信接続部４１は、室内空間ＳＩ側の開口２１付近において設けられている。そして、通信接続部４１には、ハブ取付部４２が設けられており、複数の接続口４１ａ、４１ｂ、４１ｃ、４１ｄ・・・からなるハブ４３を取り付けることができる。このハブ４３は、同時に複数の電化設備機器２００と接続させることができ、ハブ取付部４２に対して取り外し可能な接続機器である。収納部２０に収納された電化設備機器２００は、ハブ４３を介して通信接続部４１と接続されることにより外部装置３００との間での通信を確立させることができる。また、収納部２０に収納される電化設備機器２００が複数存在する場合でも、複数の接続口４１ａ、４１ｂ、４１ｃ、４１ｄ・・・からなるハブ４３を取り付けることによって、同時に外部装置３００との間での通信を確立させることができる。
【００６２】
［パネル部の構成］
パネル部５０は、図４および図５に示すように、空調部１０の近傍に設けられており、化粧パネル５１と、吸込グリル５２と、吹出口５３とから構成されている。化粧パネル５１は、室内ユニット１が配備されている天井の面に沿うようにして設けられており、室内側からは室内ユニット１の内部の構造が見えないように覆い隠すことで室内の美観を保ったり、また室内ユニット１が室内空間ＳＩへ落下したりすることを防止する等の役割を担っている。吸込グリル５２は、室内空間ＳＩの空気調和を行うために室内空間ＳＩの空気を取り込む際の取り込み口となる部分に取り付けられている。吹出口５３は、室内ユニット１や室外ユニット８によって調和された空気を室内空間ＳＩに吹き出すための開口である。
【００６３】
＜本空気調和装置の室内ユニットの特徴＞
（１）
上記第１実施形態における空気調和装置１００は、室内ユニット１を天井に設置した後であっても、室内ユニット１の近傍に電化設備機器２００を設置する際に、天井に施工工事を施す必要が無く、また天井裏空間ＳＢに登って作業を行ったりする必要も無いため、収納部２０に対する電化設備機器２００の取り付け作業を室内側から簡単に行うことができる。このように、空気調和装置１００を設置した後においても、電化設備機器２００の設置場所を容易に確保することができる。また、あらかじめ設置場所が確保されていることから、電化設備機器２００の設置状態に無理が生ずることも無く、電化設備機器２００の設置状態の安定化を図ることができ、室内の美観を損なうことも少ない。また，室内ユニット１の収納部２０には室内空間ＳＩ側に開口２１が設けられているため、室内空間ＳＩからの電化設備機器２００の設置作業を容易に行うことができる。
【００６４】
（２）
上記実施形態における空気調和装置１００の室内ユニット１には、空調部１０に対して電源を供給している外部電源４００と接続された電源部３０が設けられている。そして、室内側から届く位置に電源部３０の電源接続部３１が設けられている。このため、収納部２０に設置する電化設備機器２００が電源の供給を受けて駆動する機器である場合であっても、電源供給のための接続作業を室内側から容易に行うことができる。また、空調部１０に対して電源の供給を行っている電源を併用することができるので、新たに別個の電源装置を設けて電源コード等で電源を引いてくる等の必要が無くなる。
【００６５】
また、上記実施形態における空気調和装置１００の室内ユニット１が設置されている天井裏空間ＳＢには有線ＬＡＮ５が張り巡らされており、収納部２０の開口２１を介して室内側から簡単に届く位置に通信部４０の通信接続部４１が設けられている。このため、収納部２０に新たに設置する電化設備機器２００がネットワークに接続可能な機器である場合であっても、通信確立のための接続作業を室内側から容易に行うことができる。
【００６６】
（３）
上記実施形態において室内ユニット１の収納部２０に設置される電化設備機器２００の一例としては、外部装置３００による通信制御が可能なネットワーク関連機器が挙げられる。このようなネットワーク関連機器は、一般に、室内ユニット１の空調部１０よりも寿命が短い傾向にある。このため、通常、室内ユニット１の空調部１０の寿命によって天井工事の必要が生ずる頻度よりも、ネットワーク関連機器の寿命によってその交換をする必要が生ずる頻度のほうが高いといえる。仮に、空調部１０のほうが電化設備機器２００よりも寿命が短ければ空調部１０の施工工事の際にネットワーク関連機器を一緒に交換することも可能であるが、電化設備機器２００の寿命は、一般に、空調部１０の寿命よりも短いことが多いため、このようなタイミングで電化設備機器の交換を行うことは難しい。また、空調部１０と電化設備機器２００との寿命が単に相違するというだけでも、これと同様のことが言える。このため、上記実施形態における室内ユニット１は、室内ユニット１よりも寿命が短いネットワーク関連機器を設置する場合等では、特に、有用性が高い。
【００６７】
（４）
上記実施形態においては、室内ユニット１の電源部３０の電源接続部３１において、複数の接続口３１ａ，３１ｂ、３１ｃ、３１ｄ、・・・を有する電気コンセント３３を取り付けることができる。このため、電源の供給を受けて駆動する電化設備機器２００を同時に複数接続することができるようになる。
【００６８】
また、上記実施形態においては、室内ユニット１の通信部４０の通信接続部４１において、複数の接続口４１ａ，４１ｂ、４１ｃ、４１ｄ、・・・を有するハブ４３取り付けることができる。このため、ネットワーク関連機器２００を同時に複数接続することができるようになる。また、このハブ４３は、通常、高コストな機器であるため、電化設備機器２００を１つしか取り付ける予定がないような場合にはコスト高となってしまうため不要である。そのような場合においても、上記実施形態における通信接続部４１のハブ取付部４２は、ハブ４３自体の脱着可能なため、複数のネットワーク関連機器２００を取り付けたい場合等の必要に応じて取り付けることができる。この場合に上記ハブ４３を脱着可能とすることにより、不必要な場合のコストの低減を図ることができるようになっている。
【００６９】
（５）
上記実施形態における室内ユニット１は、室内空間ＳＩのうち比較的見通しの良い場所に設置されることが多い。このため、ネットワーク接続可能な監視カメラ等を室内ユニット１の収納部２０に収納した場合には、その視野の広さ等によって設置するカメラを効果的に機能させることができる。また、室内ユニット１の収納部２０が設けられる場所は、見通しの良い場所であって周囲に物理的な障害となるものが比較的少ないことから、電波等の届き易い場所であることが多い。このため、無線ＬＡＮアクセスポイント等の設置場所としても適している。
【００７０】
また、例えば、店舗内が広いために室内ユニット１が複数箇所に設置されているような建物においては、このような広い店舗内に防犯カメラを設置しようとする場合であっても収納部２０が複数配置されていることになるので、各収納部２０にカメラを設置することができ、より多くのポイントからの監視を行うことができるようになる。
上記の利点は、室内の天井に建物内の放送のためのスピーカ等を設ける場合にも同様に効果的である。
【００７１】
（６）
上記実施形態において室内ユニット１の収納部２０に設置される電化設備機器２００は、各空気調和装置１００の室内ユニット１に初めから取り付ける必要が無い。また、各室内ユニット１の収納部２０に異なる電化設備機器２００を収納させることも可能なため、例えば、ビル内のテナントごとに、それぞれの要求に応じて収納部２０の自由な用い方をすることができる。
【００７２】
〔変形例〕
（Ａ）
上記第１実施形態においては、電化設備機器２００に対する電源の供給と通信の確立とは、それぞれ別個に設けられた電源部３０と通信部４０とによってなされている。しかし、図７に示すように、通信部４０を設けることなく、電源部３０に新たに電源通信部３４を設けることによっても、上記第１実施形態の場合と同様の効果を得ることができる。ここでの電源通信部３４は、電源接続部３１を介して電化設備機器２００と通信を行うことができるものであり、有線ＬＡＮ５を介して電化設備機器２００と外部装置３００とを通信可能に接続させることができる。ここでは、この電源通信部３４によって、電源部３０は、電化設備機器２００に対して電源の供給と通信の確立の両方を可能にさせることができる。具体的には、例えば、電源通信部３４が、ＵＳＢポートや電灯線通信である場合等において電源の供給と通信の確立とを同時に成立させることができる。
【００７３】
（Ｂ）
上記第１実施形態における収納蓋２２は、収納部２０に対して取り外し可能なものとなっている。しかし、この収納蓋２２のように取り外しにより開閉するものでなく、図８に示すように、スライドさせて収納部２０を開閉させるという形式のスライド扉２８であってもよい。
【００７４】
（Ｃ）
上記第１実施形態は、１台の室外ユニット２に対して並列に複数の室内ユニット１を接続するマルチ型の空気調和装置１００についてのものである。しかし、図１０に示すように、一戸建ての住宅などに用いられる１台の室外機５０８に対して１台だけ室内機５０１を接続するペア型の空気調和装置５００であっても、室内機５０１に上記第１実施形態における収納部２０と同様な構成の収納部５２０を設けることができ、これにより上記第１実施形態における空気調和装置１００と同様の効果を得ることも可能である。
【００７５】
（Ｄ）
上記第１実施形態における収納部２０を備える室内ユニット１は、室内の天井等に設けられている照明機器等によって代替させることも可能である。天井に設けられている照明機器に収納部を設けて、電源の供給と通信の確立を行うことができるような構成にすることにより、上記第１実施形態の室内ユニット１の収納部２０と同様な効果を得ることができる。
【００７６】
（Ｅ）
上記第１実施形態においては、電化設備機器２００と外部装置３００との間の通信には、天井裏空間ＳＢにおいて張り巡らされている有線ＬＡＮ５を用いて行っている。しかし、ここでの通信は、室内ユニット１自体に無線ＬＡＮのアクセスポイントを備えさせて、電化設備機器２００を室内ユニット１の無線ＬＡＮのアクセスポイントに接続させてもよい。この場合には、電化設備機器２００は、室内ユニット１の無線ＬＡＮのアクセスポイントを介して外部装置３００と通信されることにより制御されるものであってもよい。
また、電化設備機器２００自体に無線通信機能が備えられている場合には、上記第１実施形態における室内ユニット１は、電化設備機器２００に対して設置場所と電源の供給とを行えばよく、この場合には、電化設備機器２００は、外部装置３００との間で直接無線通信することができるようになる。
【００７７】
（Ｆ）
上記第１実施形態においては、電化設備機器２００は、有線ＬＡＮを介して外部装置３００と接続されることにより外部装置３００に管理されている。しかし、空気調和装置１００の室内ユニット１に接続されて有線ＬＡＮ５と繋がっている室外ユニット８が外部装置３００との間で無線通信可能な場合においては、電化設備機器２００と外部装置３００とは有線ＬＡＮ５を介して直接接続されている必要はなく、外部装置３００は室外ユニット８を介した無線通信によって電化設備機器２００を管理することができるようになる。
【００７８】
また、有線ＬＡＮ５によって接続されているＬＡＮ型ダイアルアップ接続機能を備えた設備管理装置等がビル等の建物内において設けられている場合があるが、このＬＡＮ型ダイアルアップ接続機能を備えた設備管理装置等が外部装置３００との間で無線通信可能な場合においても、外部装置３００は無線通信によって電化設備機器２００を管理することができるようになる。
【００７９】
（Ｇ）
上記第１実施形態においては、電源接続部３１は、ＡＣ電源の供給を行っているが、ＤＣ電源の供給を行うことができるものであってもよい。この場合には、新たにＤＣ化電源回路を設ける必要が無く、接続作業において更なる簡略化を図ることができるようになる。
【００８０】
（Ｈ）
上記第１実施形態においては、図６に示すように、電化設備機器２００は、通信接続部４１とその通信接続部４１に接続された有線ＬＡＮ５とを介して外部装置３００に接続されている。しかし、図９において示すように、空調部１０に接続された有線ＬＡＮ５を通信接続部４１にも引いてくるようにして、電化設備機器２００と外部装置３００とを接続するようにしてもよい。この場合には、初期施工工事において、空調部１０に対してのみＬＡＮ接続工事を行えば足りることとなり、作業を簡略化させることができる。
【００８１】
（Ｉ）
また、他の変形例として、図１１に示されるように、通信部４０（図９参照）を省略して、電化設備機器２００を、天井裏または壁裏ＳＢに配備される有線ＬＡＮ５に直接接続するための接続部として、ハブ取付部４４を有線ＬＡＮ５に接続してもよい。この場合、電化設備機器２００を通信部４０を介さずに有線ＬＡＮ５に直接接続することができる。したがって、通信部４０が不要になることによりコストを削減することができる。
【００８２】
（Ｊ）
さらに他の変形例として、図１２に示されるように、通信部４０を収納部２０内部に着脱自在に収納した構造、いわゆる通信部４０のスロットイン構造を採用してもよい。この場合、通信部４０を取り付ける必要がある室内機１だけ選択して通信部４０を取り付けることができるため、コストを削減することが可能になる。
【００８３】
（Ｋ）
上記第１実施形態においては、図６に示すように、外部電源４００から空調部１０および電源部３０にそれぞれ電源を供給する構造になっているが、さらに他の変形例として、空調部１０に電源を供給するためのＡＤコンバータ１７を電化設備機器２００に電源を供給するための電源部として兼用してもよい。
すなわち、図１３に示されるように、電源部３０（図６参照）を省略して、外部電源４００に接続された空調部１０のＡＤコンバータ１７を電気コンセント取付部３２に直接接続してもよい。ＡＤコンバータ１７は、外部電源４００に接続され、外部電源４００から供給される交流電流を直流電流に変換し、直流電流を空調部１０の室内制御部１６および収納部２０内部の電気コンセント取付部３２の両方へ供給する。その場合、図６に示される電源部３０が不要になり、装置の構成が簡単になる。
【００８４】
［第２実施形態］
本発明の第２実施形態に係る空気調和装置室内ユニットのブロック図を図１４に示す。なお、空気調和装置の基本的な空調構成（室外ユニットおよび室内ユニットの空調についての構成）については、上記第１実施形態と共通しているので、説明を省略する。
【００８５】
＜室内ユニットの構造等に関する構成＞
第２実施形態の空気調和装置１００の室内ユニット１は、図１４に示すように、主として、空調部１０と、収納部２０と、接続部６０とを備えている。収納部２０には、電化設備機器２００に対して電源を供給するための電源部３０が、接続部６０に対して着脱自在に収納されている。すなわち、電源部３０は、外部電源４００から電源が供給される接続部６０に対して着脱自在に電気的に接続されている。さらに、本実施形態では、電化設備機器２００の通信を確立するための通信部４０も、収納部２０の内部に、接続部７０に対して着脱自在となるように収納されている。
【００８６】
［空調部の構成］
空調部１０は、上記第１実施形態と同様に、室内熱交換器１１、電動弁１２、室内ファンモータ１４、室内制御部１６、ＡＤコンバータ２７等を備えている。ＡＤコンバータ２７は、外部電源４００に接続され、外部電源４００から供給される交流電流を直流電流に変換し、空調部１０の室内制御部１６へ供給する。空調部１０は、コントローラ９から有線ＬＡＮ５を介して指令を受けることにより若しくは有線ＬＡＮ５を介して遠隔から指令を受けることにより、これらの構成要素に基づいて室内空間ＳＩの空気の調和を行う。
また、空調部１０の室内制御部１６は、図１４に示すように、天井裏空間ＳＢに張り巡らされている有線ＬＡＮ５を介して空気調和装置１００の室外ユニット８や外部装置３００と通信可能に接続されている。
【００８７】
［収納部の構成］
収納部２０は、カメラ等の電化設備機器２００を収納するために内部が空洞となっているものであり、本実施形態では、電源部３０および通信部４０も電化設備機器２００とともに収納されている。また、電源部３０および通信部４０は、接続部６０、７０に対して着脱自在であり、電化設備機器２００は、これら電源部３０および通信部４０に対して着脱自在である。この収納部２０は、開口２１と、収納蓋２２とから構成されている。開口２１は、収納部２０に設けられている開口であり、室内空間ＳＩ側に向けて設けられている。そして、カメラ等の電化設備機器２００、電源部３０および通信部４０を、この室内空間ＳＩ側に設けられている開口２１を通じて室内側から収納部２０の内部に設置したり取り外したりすることができる。収納蓋２２は、開口２１を閉じるための蓋であり、電化設備機器２００等を取り付けたり取り外したりする際に取り外すことができるものである。
【００８８】
［電源部の構成］
電源部３０は、図１４に示すように、収納部２０内部に着脱自在に収納されている。この電源部３０は、図１４に示すように、外部電源４００と接続部６０を介して接続されており、この外部電源４００から供給される交流電流を直流電流に変換し、直流電流を電気コンセント取付部３２へ供給する。電源部３０には、前述した収納部２０に収納されるカメラ等の電化設備機器２００に対して電源部３０で変換された直流（ＤＣ）電源を供給をするための接点となる電源接続部３１が、室内空間ＳＩ側の開口２１付近に設けられている。この電源接続部３１には、電気コンセント取付部３２が設けられており、複数の接続口３１ａ、３１ｂ、３１ｃ、３１ｄ・・を有する電気コンセント３３を取り付けることができる。この電気コンセント３３は、取り外し可能な複数の電化設備機器２００に対して同時に電源を供給することができる。収納部２０に収納された電化設備機器２００は、電気コンセント３３を介して電源接続部３１と接続されることにより電源の供給を受けて駆動することができる。また、収納部２０に収納される電化設備機器２００が複数存在する場合であっても、電源接続部３１に複数の接続口３１ａ、３１ｂ、３１ｃ、３１ｄ・・を有する電気コンセント３３を取り付けることにより、同時に複数の電化設備機器２００に対して電源の供給を行うことができる。
【００８９】
［通信部の構成］
通信部４０は、図１４に示すように、収納部２０の内部に着脱自在に収納されている。この通信部４０は、有線ＬＡＮ５に接続された接続部７０に着脱自在に接続されているため、天井裏空間ＳＢに張り巡らされている有線ＬＡＮ５を介して外部装置３００や室外ユニット８と通信できる。また、通信部４０は、通信接続部４１を有している。通信部４０は、この通信接続部４１によって、前述した収納部２０に収納されるカメラ等の電化設備機器２００と外部装置３００等との間で通信を確立させることができるようになっている。通信接続部４１は、室内空間ＳＩ側の開口２１付近において設けられている。そして、通信接続部４１には、ハブ取付部４２が設けられており、複数の接続口４１ａ、４１ｂ、４１ｃ、４１ｄ・・・からなるハブ４３を取り付けることができる。このハブ４３は、同時に複数の電化設備機器２００と接続させることができ、ハブ取付部４２に対して取り外し可能な接続機器である。収納部２０に収納された電化設備機器２００は、ハブ４３を介して通信接続部４１と接続されることにより外部装置３００との間での通信を確立させることができる。また、収納部２０に収納される電化設備機器２００が複数存在する場合でも、複数の接続口４１ａ、４１ｂ、４１ｃ、４１ｄ・・・からなるハブ４３を取り付けることによって、同時に外部装置３００との間での通信を確立させることができる。
なお、本実施形態では、通信部４０が収納部２０に着脱自在に収納されているが、図６に示されるように天井裏空間ＳＢにおいて、空調部１０の隣に配備されてもよい。
【００９０】
＜第２実施形態における空気調和装置の室内ユニットの特徴＞
上記第２実施形態における空気調和装置１００は、新たに電化設備機器２００を設置したい場合には、電化設備機器２００を、接続部６０を介して収納部２０に収納させることができる。そして、新たに設置した電化設備機器２００に対して電源を供給する場合には、電源部３０を接続部６０に電気的に接続することにより、接続部６０を介して外部電源４００から電源を供給することができる。また、新たに設置する電化設備機器２００のためだけに設置場所まで電気コード等によって電源を引いてくるようなことが不要となり、空気調和装置の室内機の外部電源４００に接続される接続部６０を介して電源の供給を受けることができるようになる。したがって、空気調和装置の室内機１を設置した後において電源を必要とするような電化設備機器２００を取り付ける場合に、室内の天井や壁に新たな工事を施すことなく設置することが可能となる。
しかも、電化設備機器２００の消費電力などの仕様に適合した電源部３０を選択して接続部６０に着脱自在に取り付けることができる。したがって、消費電力の大きい電化設備機器２００の場合には、それに対応する電源部３０を選択して接続部６０に取り付けることができる。
【００９１】
＜第２実施形態の変形例＞
上記第２実施形態では、電化設備機器２００と電源部３０とがそれぞれ独立して存在した構造になっているが、ＡＤコンバータなどの独自の電源部を内部に有する電化設備機器２００を収納部２０に収納させる場合には、そのような電化設備機器２００の電源部を接続部６０に直接接続すればよく、この場合も外部電源４００から接続部６０を介して電化設備機器２００へ電源を供給することができる。
【００９２】
［第３実施形態］
本発明の第３実施形態に係る空気調和装置室内ユニットのブロック図を図１５に示す。なお、空気調和装置の基本的な空調構成（室外ユニットおよび室内ユニットの空調についての構成）については、上記第１実施形態と共通しているので、説明を省略する。
＜室内ユニットの構造等に関する構成＞
第３実施形態の空気調和装置１００の室内ユニット１は、図１５に示すように、主として、空調部１０と、収納部２０とを備えている。本実施形態では、空調部１０経由で電源および通信用の信号が供給されるので、第１実施形態にいう電源部３０および通信部４０は不要になっている。
【００９３】
［空調部の構成］
空調部１０は、上記第１実施形態と同様に、室内熱交換器１１、電動弁１２、室内ファンモータ１４、室内制御部１６、ＡＤコンバータ１７等を備えている。空調部１０に電源を供給するための電源部であるＡＤコンバータ１７は、電化設備機器２００に電源を供給するための電源を兼用している。ＡＤコンバータ１７は、外部電源４００に接続され、外部電源４００から供給される交流電流を直流電流に変換し、空調部１０の室内制御部１６および収納部２０内部の電気コンセント取付部３２へ電源を供給する。空調部１０は、コントローラ９から有線ＬＡＮ５を介して指令を受けることにより若しくは有線ＬＡＮ５を介して遠隔から指令を受けることにより、これらの構成要素に基づいて室内空間ＳＩの空気の調和を行う。
また、空調部１０の室内制御部１６は、図１５に示すように、天井裏空間ＳＢに張り巡らされている有線ＬＡＮ５を介して空気調和装置１００の室外ユニット８や外部装置３００と通信可能に接続されている。
【００９４】
［収納部の構成］
収納部２０は、カメラ等の電化設備機器２００を収納するために内部が空洞となっているものである。この収納部２０は、開口２１と、収納蓋２２とから構成されている。開口２１は、収納部２０に設けられている開口であり、室内空間ＳＩ側に向けて設けられている。そして、カメラ等の電化設備機器２００を、この室内空間ＳＩ側に設けられている開口２１を通じて室内側から収納部２０の内部に設置したり取り外したりすることができる。収納蓋２２は、開口２１を閉じるための蓋であり、電化設備機器２００を取り付けたり取り外したりする際に取り外すことができるものである。
【００９５】
［電化設備機器への電源供給］
空調部１０のＡＤコンバータ１７からＤＣ電源が供給される電気コンセント取付部３２は、収納部２０における室内空間ＳＩ側の開口２１付近に設けられている。電気コンセント取付部３２には、複数の接続口３１ａ、３１ｂ、３１ｃ、３１ｄ・・を有する電気コンセント３３を取り付けることができる。この電気コンセント３３は、取り外し可能な複数の電化設備機器２００に対して同時に電源を供給することができる。収納部２０に収納された電化設備機器２００は、電気コンセント３３を介してＡＤコンバータ１７と接続されることにより電源の供給を受けて駆動することができる。また、収納部２０に収納される電化設備機器２００が複数存在する場合であっても、電気コンセント取付部３２に複数の接続口３１ａ、３１ｂ、３１ｃ、３１ｄ・・を有する電気コンセント３３を取り付けることにより、同時に複数の電化設備機器２００に対して電源の供給を行うことができる。
【００９６】
［電化設備機器との通信の確立］
収納部２０のハブ取付部４４は、空調部１０に接続された有線ＬＡＮ５に直接接続されているので、外部装置３００と前述した収納部２０に収納されるカメラ等の電化設備機器２００との間で通信を確立させることができる。ハブ取付部４２は、収納部２０における室内空間ＳＩ側の開口２１付近において設けられている。ハブ取付部４２には、複数の接続口４１ａ、４１ｂ、４１ｃ、４１ｄ・・・からなるハブ４３を取り付けることができる。このハブ４３は、同時に複数の電化設備機器２００と接続させることができ、ハブ取付部４２に対して取り外し可能な接続機器である。収納部２０に収納された電化設備機器２００は、ハブ４３を介して通信接続部４１と接続されることにより外部装置３００との間での通信を確立させることができる。また、収納部２０に収納される電化設備機器２００が複数存在する場合でも、複数の接続口４１ａ、４１ｂ、４１ｃ、４１ｄ・・・からなるハブ４３を取り付けることによって、同時に外部装置３００との間での通信を確立させることができる。
【００９７】
＜第３実施形態における空気調和装置の室内ユニットの特徴＞
上記第３実施形態における空気調和装置１００は、電化設備機器２００を収納するための収納部２０を備えている。このため、新たに電化設備機器２００を設置したい場合には、電化設備機器２００を、収納部２０に収納させることができる。また、新たに設置した電化設備機器２００に対して電源を供給する場合においても、新たに設置する電化設備機器２００のためだけに設置場所まで電気コード等によって電源を引いてくるようなことが不要となり、空気調和装置１００の室内機１のＡＤコンバータ１７から電源の供給を受けることができるようになる。したがって、空気調和装置１００の室内機１を設置した後において電源を必要とするような電化設備機器２００を取り付ける場合に、室内空間ＳＩの天井や壁に新たな工事を施すことなく設置することが可能となる。しかも、電化設備機器２００は、空調部１０から電源および通信用の信号が供給されるため、第１実施形態にいう電源部３０および通信部４０が不要になり、装置の構成が簡単になる。
【図面の簡単な説明】
【００９８】
【図１】本発明の第１実施形態における空気調和装置の外観図。
【図２】本発明の第１実施形態における空気調和装置の側面図。
【図３】本発明の第１実施形態における空気調和装置の制御ブロック図。
【図４】本発明の第１実施形態における空気調和装置の室内ユニットの外観図。
【図５】本発明の第１実施形態における空気調和装置の室内ユニットの側面図。
【図６】本発明の第１実施形態における空気調和装置の室内ユニットのブロック図。
【図７】本発明の第１実施形態の変形例における空気調和装置の室内ユニットのブロック図。
【図８】本発明の第１実施形態の変形例における空気調和装置の室内ユニットの開口の外観図。
【図９】本発明の第１実施形態の変形例における空気調和装置の室内ユニットの通信ブロック図。
【図１０】本発明の第１実施形態の変形例における空気調和装置の外観図。
【図１１】本発明の第１実施形態の変形例における空気調和装置の室内ユニットのブロック図。
【図１２】本発明の第１実施形態の変形例における空気調和装置の室内ユニットのブロック図。
【図１３】本発明の第１実施形態の変形例における空気調和装置の室内ユニットのブロック図。
【図１４】本発明の第２実施形態における空気調和装置の室内ユニットのブロック図。
【図１５】本発明の第３実施形態における空気調和装置の室内ユニットのブロック図。
【符号の説明】
【００９９】
１    空気調和装置の室内機（室内ユニット）
５    有線（有線ＬＡＮ）
１０    空調部
１７    ＡＤコンバータ
２０    収納部
２１    開口
２７    ＡＤコンバータ
３０    電源部
３１    電源接続部
３１ａ、３１ｂ、３１ｃ、３１ｄ    接点（接続口）
３２    電源接続部材取付部（電気コンセント取付部）
３３    電源接続部材（電気コンセント）
３４    電源通信部
４０    通信部
４１    通信接続部
４１ａ、４１ｂ、４１ｃ、４１ｄ    接点（接続口）
４２    通信接続部材取付部（ハブ取付部）
４３    通信接続部材（ハブ）
４４    接続部（ハブ取付部）
６０    接続部
２００    電化設備機器
３００    外部装置
ＳＢ    天井裏または壁裏（天井裏空間）
ＳＩ    室内（室内空間）
【図１】
2005037117.tif 000003
【図２】
2005037117.tif 000004
【図３】
2005037117.tif 000005
【図４】
2005037117.tif 000006
【図５】
2005037117.tif 000007
【図６】
2005037117.tif 000008
【図７】
2005037117.tif 000009
【図８】
2005037117.tif 000010
【図９】
2005037117.tif 000011
【図１０】
2005037117.tif 000012
【図１１】
2005037117.tif 000013
【図１２】
2005037117.tif 000014
【図１３】
2005037117.tif 000015
【図１４】
2005037117.tif 000016
【図１５】
2005037117.tif 000017